(57)【要約】チューナブルフィルタ、例えばシングルチップ無線レシーバにおけるアンテナフィルタは、パッシブリアクティブ部品を含む周波数選択性回路（１２）を有する。少なくともいくつかのリアクティブ部品（４８−５２）は、バンクにおける少なくとも一つのリアクティブ部品を周波数選択回路に切り替えるためのスイッチ（５３−５７）を含むバンク（４６）として構成される。コントローラは、第１の周波数で入力信号に対して最適な感度を与えるリアクティブ部品又はその組み合わせを選択する切り替え手段を制御する。他の周波数に対する感度を最適化するために必要なスイッチ設定は、第１の周波数での入力信号をなお用いて、他のスイッチ設定に対する感度の減少を測定し、チューナブルフィルタの周波数応答の形についての格納されたデータを用いることにより決定される。
2005507598.tif 000002
【特許請求の範囲】
【請求項１】
チューナブルフィルタと制御手段とを有する信号受信デバイスであって、前記チューナブルフィルタは、第１の周波数で信号を与えるための入力と、フィルタリングされた信号を送り出す出力と、可変リアクタンスとを有し、前記制御手段は、前記可変リアクタンス手段のリアクタンスを変える制御信号を発生する手段と、フィルタリング後信号品質を測定する測定手段と、重大な信号品質に対するフィルタのオフチューニングの程度に関するデータを含む第１の格納手段と、制御信号値のインジケーション及び周波数のインジケーションを格納する第２の格納手段とを有し、前記制御手段は、ピーク信号品質を生成する前記制御信号の第１の値を決定することにより第１の周波数で入力信号にフィルタをチューニングするため、前記制御信号の第２の値を選択することにより前記第１の周波数から前記フィルタをオフチューニングするため、オフチューニング信号品質を測定するため、前記ピーク信号品質、前記測定オフチューニング信号品質及び前記重大な信号品質に対するオフチューニングの程度に関するデータを用いることにより前記オフチューニングフィルタのピーク周波数を決定するため、並びに前記制御信号の前記第２の値のインジケーションと、前記オフチューニングフィルタの前記ピーク周波数のインジケータとを格納するため、に動作可能である信号受信デバイス。
【請求項２】
信号品質は、信号強度、信号／ノイズ比、ビットエラーレート、タイミングジッタ及びデータアイオープニングのインジケータの一つである請求項１記載の信号受信デバイス。
【請求項３】
前記制御手段は、さらなるピーク周波数のインジケータと、格納されたインジケータの少なくとも一つを用いて補間又は外挿により前記制御信号の対応するさらなるインジケーションとを決定し、さらなるピーク周波数の前記インジケーション及び前記制御信号の前記対応するさらなるインジケーションを格納するようにさらに動作可能である請求項１又は請求項２記載の信号受信デバイス。
【請求項４】
前記さらなるピーク周波数は、周波数ホッピングシーケンスの周波数である請求項３記載の信号受信デバイス。
【請求項５】
前記可変リアクタンス手段は、選択可能なキャパシタのバンクを有する請求項１から請求項４のいずれか一項記載の信号受信デバイス。
【請求項６】
前記選択可能なキャパシタは、幾何学的に関係するキャパシタンス値を有する請求項５記載の信号受信デバイス。
【請求項７】
受信部と、送信部とを有する無線トランシーバであって、前記受信部が請求項１から請求項６のいずれか一項記載の信号受信デバイスを含む無線トランシーバ。
【請求項８】
前記送信部は、第１の周波数で信号を発生する手段を有し、前記チューナブルフィルタの入力に前記送信部の出力を繋げる手段をさらに有する請求項７記載の無線トランシーバ。
【請求項９】
可変リアクタンス手段を有するチューナブルフィルタであって、前記可変リアクタンス手段は、選択可能なキャパシタのバンクを含むチューナブルフィルタ。
【請求項１０】
前記選択可能なキャパシタは、幾何学的に関連するキャパシタンス値を有する請求項９記載のチューナブルフィルタ。
【請求項１１】
リアクタンスが制御信号により制御可能である可変リアクタンス手段を有するチューナブルフィルタをキャリブレーションする方法であって、前記チューナブルフィルタに第１の周波数を有する信号を供給し、ピークフィルタリング後信号品質を生成する前記制御信号の第１の値を決定することにより前記フィルタをチューニングし、前記制御信号の第２の値を選択して、得られたオフチューニング信号品質を測定することにより前記フィルタをオフチューニングし、前記ピーク信号品質、前記オフチューニング信号品質及び重大な信号品質に対するオフチューニングの程度に関するデータを用いることにより前記オフチューニングフィルタのピーク周波数を決定し、前記制御信号の前記第２の値のインジケーション及び前記オフチューニングフィルタの前記ピーク周波数のインジケーションを格納することを有する方法。
【請求項１２】
信号品質は、信号強度、信号／ノイズ比、ビットエラーレート、タイミングジッタ及びデータアイオープニングのインジケータの一つである請求項１１記載のチューナブルフィルタをキャリブレーションする方法。
【請求項１３】
さらなるピーク周波数のインジケータと、格納されたインジケータの少なくとも一つを用いて補間又は外挿により前記制御信号の対応するさらなるインジケーションとを決定し、さらなるピーク周波数の前記インジケーション及び前記制御信号の前記対応するさらなるインジケーションを格納することをさらに含む請求項１１又は請求項１２記載のチューナブルフィルタをキャリブレーションする方法。
【請求項１４】
前記さらなるピーク周波数は、周波数ホッピングシーケンスの周波数である請求項１３記載のチューナブルフィルタをキャリブレーションする方法。
【請求項１５】
前記可変リアクタンス手段は、選択可能なキャパシタのバンクを有する請求項１１から請求項１４のいずれか一項記載のチューナブルフィルタをキャリブレーションする方法。
【請求項１６】
前記選択可能なキャパシタは、幾何学的に関係するキャパシタンス値を有する請求項１５記載のチューナブルフィルタをキャリブレーションする方法。
【発明の詳細な説明】
【技術分野】
【０００１】
本発明は、チューナブルフィルタ、チューナブルフィルタを有する信号受信又は送信デバイス、並びにチューナブルフィルタをキャリブレーションする方法に関する。チューナブルフィルタは、特に排他的ではないが、アンテナフィルタであり得る。
【背景技術】
【０００２】
コードレス及びセルラー電話に使用される最近製造されるトランシーバは、通常２つの主要な集積回路（ＩＣｓ）を有する。その一つは無線フロントエンドを含み、他方はディジタル処理を含み、「バックエンド」とときどき呼ばれる。フロントエンド無線ＩＣは、弱い無線周波数（ＲＦ）信号に増幅し、したがってトランジスタは、その線形領域で動作し、最小の歪で増幅する。普通は、ＲＦで動作したときに（増幅、歪み、線形性およびノイズの点で）ＣＭＯＳデバイスに比べて優れた特性を与えるので、フロントエンド無線ＩＣは、バイポーラデバイスを用いて組み立てプロセスにおいて実装される。バックエンドＩＣについては、とても低い消費電力及び高いパッキング密度（packing density）を与えるので、ＣＭＯＳプロセスが通常使用される。
【０００３】
シングルチップ無線機を製造するために選ぶ際には、そのアーキテクチャが、ディジタルＣＭＯＳ ＩＣに集積されるＲＦ部品を必要とし得る。これは、ＣＭＯＳトランジスタがＲＦフロントエンド回路用にバイポーラトランジスタの代わりに使用されることを意味する。フィリップスＣＭＯＳ１８（又はＣ１８）（１８はデバイスの最小長さ、すなわち０．１８μｍのことをいう）のようなプロセッサは、ＲＦ用に特徴づけられている。
【０００４】
ＣＭＯＳプロセスを使用しなければならない欠点は、アナログパッシブ部品がディスクリートデバイス又はバイポーラトランジスタプロセスを用いて製造されたもののどちらのものよりもより大きな許容誤差を有することである。その許容誤差は、周波数バッチ（frequency batch）に依存するので、パッシブ部品の値は同じ方向で真の値から変化し得る。そのようなパッシブ部品は、周波数選択性を与えるために発振器及びフィルタのような回路において使用される。しかし、相対的に大きい許容誤差は、周波数選択回路が正しい値から大きく離れてチューニングされるリスクを冒す大きな範囲の値になる。これは、望むＲＦ信号を強く減衰又は歪ませるので、全受信機のチップを使用不可にし、低い歩留まり及び必然的に許容できない高い製造コストになる。
【０００５】
米国特許明細書第６，０８１，７００号は、セルフチューニングアンテナを有する無線機及びアンテナがピーク又は所定の品質レベルに達し得るようにバラクタダイオードに制御電圧を与えるためのアンテナをチューニングする方法を開示する。ＤＳＰ（ディジタル信号プロセッサ）でなり得るコントローラは、無線機内で放射されたキャリブレーション信号を発生する。その信号は、アンテナで受信され、受信機回路により処理される。コントローラは、受信信号の品質を測定し、その測定結果は、アンテナのチューニングを制御するために使用される。測定され得る品質測定基準は、受信信号強度インジケータ（ＲＳＳＩ）、ビットエラーレート（ＢＥＲ）又は信号／ノイズ比のいずれかであり得る。
【０００６】
信号チャネル無線受信機について、バラクタに印加する制御電圧の値は、受信機を再び最大にする又は再びチューニングするために格納され、順次更新され得る。複数の無線チャネル用のアンテナをチューニングするための制御電圧の値はまた、後の使用のために格納される。また、チャネルのバンドにわたってアンテナを動作可能にするために、そのバンドは、動作バンドにおける種々のポイントで制御電圧で特徴づけられ得る。その情報は、格納され、サブバンドセグメントをカバーするため又は格納された情報から補間されたチューニング電圧を発生するために、アンテナのチューニング用に使用され得る。複数の無線チャネル用のチューニング電圧の測定は、それぞれの無線チャネル及び期間に対するキャリブレーション信号の発生を必要とし、最適なチューニング電圧を評価する。
【発明の開示】
【０００７】
本発明の目的は、改良されたチューニング可能なフィルタ、チューニング可能なフィルタを有する改良されたデバイス及びチューニング可能なフィルタをキャリブレーションする方法を提供することである。
【０００８】
本発明の第１の態様によれば、チューナブルフィルタと制御手段とを有する信号受信デバイスであって、前記チューナブルフィルタは、第１の周波数で信号を与えるための入力と、フィルタリングされた信号を送り出す出力と、可変リアクタンスとを有し、前記制御手段は、前記可変リアクタンス手段のリアクタンスを変える制御信号を発生する手段と、フィルタリング後信号品質を測定する測定手段と、重大な（ｃｏｎｓｅｑｕｅｎｔ）信号品質に対するフィルタのオフチューニングの程度に関するデータを含む第１の格納手段と、制御信号値のインジケーション及び周波数のインジケーションを格納する第２の格納手段とを有し、前記制御手段は、ピーク信号品質を生成する前記制御信号の第１の値を決定することにより第１の周波数で入力信号にフィルタをチューニングするため、前記制御信号の第２の値を選択することにより前記第１の周波数から前記フィルタをオフチューニングするため、オフチューニング信号品質を測定するため、前記ピーク信号品質、前記測定オフチューニング信号品質及び前記重大な信号品質に対するオフチューニングの程度に関するデータを用いることにより前記オフチューニングフィルタのピーク周波数を決定するため、並びに前記制御信号の前記第２の値のインジケーションと、前記オフチューニングフィルタの前記ピーク周波数のインジケータとを格納するため、に動作可能である信号受信デバイスを提供する。
【０００９】
本発明の第２の態様によれば、受信部と、送信部とを有するトランシーバデバイスであって、前記受信部が本発明の第１の態様に係る信号受信デバイスを含むトランシーバデバイスを提供する。
【００１０】
本発明の第３の態様によれば、可変リアクタンス手段を有するチューナブルフィルタであって、前記可変リアクタンス手段が選択可能なキャパシタのバンクを含むチューナブルフィルタを提供する。
【００１１】
本発明の第４の態様によれば、リアクタンスが制御信号により制御可能である可変リアクタンス手段を有するチューナブルフィルタをキャリブレーションする方法であって、前記チューナブルフィルタに第１の周波数を有する信号を供給し、ピークフィルタリング後信号品質を生成する前記制御信号の第１の値を決定することにより前記フィルタをチューニングし、前記制御信号の第２の値を選択して、得られたオフチューニング信号品質を測定することにより前記フィルタをオフチューニングし、前記ピーク信号品質、前記オフチューニング信号品質及び重大な信号品質に対するオフチューニングの程度に関するデータを用いることにより前記オフチューニングフィルタのピーク周波数を決定し、前記制御信号の前記第２の値のインジケーション及び前記オフチューニングフィルタの前記ピーク周波数のインジケーションを格納することを有する方法を提供する。
【００１２】
チューナブルフィルタのキャリブレーション用の単一周波数のみで信号を要求することにより、複数の周波数でのキャリブレーション信号の発生を避ける。信号品質のオフチューニング測定を使用して、重大な信号品質に対するオフチューニングの程度に関するデータを用いることにより、最適なチューニングを決定するために必要な時間が減少する。
【００１３】
任意に、フィルタは、種々の値の制御信号を用いて種々の量でフィルタをオフチューニングし、それぞれの値の制御信号に対して、得られたオフチューニング信号品質を測定してオフチューニングフィルタの対応ピーク周波数を決定し、それぞれの値の制御信号のインジケーション及びオフチューニングフィルタのピーク周波数の対応インジケーションを格納することにより、複数の周波数のためにキャリブレーションされ得る。
【００１４】
格納されたインジケーションは、補間又は外挿により制御信号及びピーク周波数のさらなる値を決定するために使用され得、任意にそのさらなる値は格納され得る。
【００１５】
動作において、キャリブレーション後、格納されたインジケーションは、特定の周波数での動作のための制御信号の適切な値を選択するために使用され得る。特に、周波数ホッピングシステムにおける動作に対して、制御信号は、それぞれの周波数での最適な信号品質のために選択され得る。
【００１６】
任意に、可変リアクタンス手段は、切り替え可能なインダクタのバンク又は切り替え可能なキャパシタのバンクを含んでも良い。
【００１７】
任意に、信号品質は、信号強度、信号／ノイズ比、ビットエラーレート、タイミングジッタ及びデータアイオープニング（data eye opening）の一つがなり得る。
【発明を実施するための最良の形態】
【００１８】
ここで、本発明は、例として、添付図面を参照して説明される。
【００１９】
図において、同じ参照番号は、対応する形態を示すために使用される。
【００２０】
図１を参照して、無線トランシーバは、チューナブルアンテナフィルタ１２に繋がれたアンテナ１０を有する。アンテナフィルタ１２の出力は、処理手段１８における送信／受信切り替え制御ステージ１６により制御される送信／受信スイッチ１４の一つのサイドに繋がれる。スイッチ１４の閉じた位置において、トランシーバは、外部信号ソースから又はループバックによりトランシーバの送信部からのいずれかでトランシーバの受信部にアンテナフィルタ１２を経由してキャリブレーション信号が与えられ得るようにして、受信モードで動作する。スイッチ１４が開いたとき、トランシーバは送信モードになる。
【００２１】
低ノイズ増幅器（ＬＮＡ）２０は、スイッチ１４に繋がれた入力と、ミキサ２２並びに、基準発振器２６及び電圧制御発振器（ＶＣＯ）２８を含む周波数シンセサイザ２４を有する局部発振器信号のソースを含む周波数ダウンコンバートステージの一つの入力に繋がれた出力とを有する。ミキサ２２の出力は、チャネルフィルタ３０に繋がれる。復調器３２及び無線信号強度インジケータ（ＲＳＳＩ）ステージ３４は、チャネルフィルタ３０の出力に繋がれる。復調器３２及びＲＳＳＩステージ３４の出力は、処理手段１８の受信部Ｒｘに与えられる。第１の格納手段１７及び第２の格納手段１９は、処理手段１８に繋がれる。トランシーバの受信部は、処理手段１８の制御下で適切な局部発振器周波数を選択することによりトランシーバの動作バンド内でいずれかのチャネルで受信するためにチューニングされ得る。
【００２２】
処理手段１８の送信部（Ｔｘ）は、入力信号が周波数シンセサイザ２４から導出された局部発生周波数を用いて周波数アップコンバートされるように、ミキサ３６の入力に繋がれる。リニアパワ増幅器３８は、ミキサ３６の出力とアンテナ１０との間に繋がれる。トランシーバの送信部は、処理手段１８の制御下で適切な局部発振器周波数を選択することにより、トランシーバの動作バンド内でいずれかのチャネルで送信するためにチューニングされ得る。
【００２３】
図２を参照して、チューナブルアンテナフィルタ１２は、本質的には、バラクタ４２と、インダクタンス４４と、それぞれｃ／２，ｃ／４，ｃ／８，ｃ／１６及びｃ／３２の幾何学的に関連するキャパシタンス値を有する切り替え可能なパッシブキャパシタ４８，４９，５０，５１，５２のバンク４６とにより形成されたパラレルチューニング回路に繋がれた入力４０を有するパラレルＬＣステージである。キャパシタンス値のそのような関係は、広い範囲の合成キャパシタンス値が得られ、それゆえフィルタの広いチューニング範囲を得られる。キャパシタ４８−５２は、スイッチ５３−５７とそれぞれ直列に繋がれる。スイッチ５３−５７は、ｃ／３２から３１ｃ／３２までのキャパシタンス値の範囲におけるいずれかのキャパシタンス値が得られるので、処理手段１８により制御可能である。キャパシタ４８−５２はパッシブ集積キャパシタである。それぞれのキャパシタの実際の値はＩＣウエハの処理許容誤差に依存するが、それらの相対キャパシタンス値は実質的に不変である。なぜなら、これらはウエハの処理に独立しているそれらのそれぞれのエリアにより決定されるからである。
【００２４】
チューナブルアンテナフィルタ１２の中心周波数ｆｒは、インダクタンスとキャパシタンスの積の平方根の逆数に関係する。すなわち、
【００２５】
ｆｒ＝１／√ＬＣ
Ｃはインサーキットキャパシタンス値の合計であり、回路でチューナブルフィルタの中心周波数は一つ又はそれ以上のキャパシタ４８−５２を回路に切り替えることにより変更され得る。アンテナフィルタ１２は、所望の周波数でキャリブレーション信号をアンテナフィルタ１２に供給し、ＲＳＳＩステージ３４により測定された信号強度が最大になるまでスイッチ設定を調整し、その後第２の格納手段１９にこの最適なスイッチ設定を格納することにより特定の周波数の受信信号のためにキャリブレートされ得る。信号は、簡単なトーン又は変調信号のいずれかでなり得る。
【００２６】
チャネルのバンド上でトランシーバを動作するために、最適なスイッチ設定は、バンドの中心周波数でのキャリブレーション信号に対して決定され、第２の格納手段１９に格納され得る。この最適なスイッチ設定は、動作バンドの中心で中心合わせされるアンテナフィルタ１２の周波数応答になる。図３は、動作バンドの中心周波数ｆ０に対して最適化したスイッチ設定でのアンテナフィルタ１２の周波数応答ＡＦＲ０を示す。その動作バンドは、受信機が周波数シンセサイザ２４によりチューニングされて周波数ｆ０で動作バンドの中心チャネルを受信するとき、周波数ｆ−ＮからｆＮでのチャネル及び受信機チャネルフィルタ３０の周波数応答ＲＣＦＲ０を含む。図３はまた、受信機が周波数シンセサイザ２４によりチューニングされ、それぞれ周波数ｆ−Ｎ及びｆＮで下部及び上部バンドエッジでチャネルを受信するときの、チャネルフィルタ３０の周波数応答ＲＣＦＲ−Ｎ及びＲＣＦＲＮを示す。動作バンドの中心周波数ｆ０に対して最適化されたスイッチ設定で、中心周波数での受信信号に対する測定ＲＳＳＩはＲＳＳＩ０であり、最適であるが、下部及び上部エッジｆ−Ｎ及びｆＮでの受信信号に対して、測定ＲＳＳＩはそれぞれＲＳＳＩ−Ｎ及びＲＳＳＩＮであり、それらは両方ともＲＳＳＩ０の最適な値よりも低く、それらの値はアンテナフィルタ１２の周波数応答ＡＦＲ０のロールオフにより減少される。例えば、アンテナフィルタ１２の−３ｄＢバンド幅が２００ＭＨｚのとき、それから２．４０ＧＨｚから２．４８ＧＨｚのＩＳＭバンドに中心に位置合わせするとき、その周波数応答は、上部及び下部バンドエッジで約１ｄＢ落ちるであろう。これは、送信がバンドのエッジで起こるときに、受信機の感度が１ｄＢ減少し、それが信号の劣化又はロスになり得ることを意味する。
【００２７】
動作バンドのいずれかのエンドでの下位の感度レベルは、動作バンドの極端に端のエンドｆ−Ｎ，ｆＮで又は実際はいずれかの中間チャネル周波数で信号を受信するときに、信号を最大信号強度ＲＳＳＩ０で、それゆえ感度レベルを最大にして受信するように、キャパシタンス値を切り替えることにより逆になり得る。動作バンドに対する最適なスイッチ設定は、バンド内のすべてのチャネルに対して、又は中間チャネルのための最適なスイッチ設定を計算するために使用されるチャネル及びキャパシタンス値の補間若しくは外挿のサブセットに対して測定され得る。
【００２８】
最適なスイッチ設定の決定は、製造の時に一度請け負われ得る。しかしながら、温度変化のような環境要因が変わると、最適なスイッチ設定の決定を繰り返す必要がある。いずれかの場合においても、簡単及び迅速な態様が望ましい。
【００２９】
以下のキャリブレーション方法は、最適なスイッチ設定を決定する簡単で迅速な態様を提供する。この方法は、信号強度の重大な劣化に対するアンテナフィルタのオフチューニングの程度に関するデータを必要とする。そのようなデータは、測定により又は計算により製造時に決定され得、いずれの場合においても第１の格納手段１７に格納される。あるいは、データは、トランシーバがサービス中、動作期間であるときに測定されても良い。データは、一度のみ決定されることが必要であり、そのデータは、アンテナフィルタがリキャリブレートされたときに、再び決定される必要はない。
【００３０】
第１に、周波数シンセサイザ２４は、動作バンドの中心周波数ｆ０でチャネルを受信する受信機のために設定される。すなわち、ミキサ２２は、チャネルフィルタ３０のパスバンドに周波数ｆ０での信号をミキシングし、受信機は、動作バンドの中心周波数ｆ０でのキャリブレーション信号を外部ソースから又はループバックにより送信機から供給される。
【００３１】
第２に、スイッチ設定は、最大ＲＳＳＩ出力ＲＳＳＩ０を与えるように調整され、それにより周波数ｆ０でその周波数応答ＡＦＲ０にピークを有するようにアンテナフィルタ１２をチューニングする。ＲＳＳＩ０の値は、第２の格納手段１９に格納される。
【００３２】
第３に、スイッチ５３−５７は、なお周波数ｆ０でキャリブレーション信号を有するアンテナフィルタ１２と、ｆ０でのチャネルで受信するために周波数シンセサイザにより設定された受信機とをオフチューニングするために調整される。「オフチューニング」により、フィルタの入力４０での信号の周波数と異なる周波数でアンテナフィルタ１２の周波数応答がピークになる。得られたＲＳＳＩが測定され、第２の格納手段１９に格納される。例えば、最大又は最小のキャパシタンス値が選択され得る。図４は、最大キャパシタンスが選択され、結果としてアンテナフィルタ１２が周波数ｆＬでピークになるようにチューニングされ、周波数応答ＡＦＲＬを有する場合を図示する。この場合において、得られたＲＳＳＩレベルは、ＲＳＳＩ０よりもΔＲＳＳＩだけ低いＲＳＳＩＬである。キャリブレーションプロセスのこのステージで、周波数ｆＬの値は知られていない。
【００３３】
第４に、周波数ｆＬの値は次のように決定される。信号強度において重大な劣化に対するアンテナフィルタのオフチューニングの程度に関するデータは、第１の格納手段１７に格納される。このデータは、例えばフィルタの次数やオクターブ毎に６ｄＢ（又はデケード毎に２０ｄＢ）のような周波数応答のロールオフ、又はアンテナフィルタ１２周波数応答の測定データであり得る。この格納されたデータは、フィルタのチューニングが知られていないにもかかわらず、アンテナフィルタ１２周波数応答の形を規定するために十分である。オフチューニングアンテナフィルタ１２の中心周波数ｆＬは、この格納されたデータ及びステップ３で測定されたＲＳＳＩＬの値から処理手段１８により計算される。この計算の例は、直角三角形の三角法の演算を用いて図５において図示される。角度θ値はフィルタの次数から既知であり、周波数ｆ０は所定のものであり、ΔＲＳＳＩの値は測定値から既知であり、そのため周波数ｆＬは三角法の演算により容易に決定され得る。周波数ｆＬ及ステップ３で選択されたスイッチ５３−５７の設定は、第２の格納手段１９に格納される。
【００３４】
第５に、ステップ３及び４は、スイッチ５３−５７の異なる設定で繰り返され得、その結果アンテナフィルタ１２の異なる程度のオフチューニングが得られる。この場合、スイッチ５３−５７の設定とアンテナフィルタの得られた中心周波数とを関連づけるキャリブレーションデータのセットが生成され、第２の格納手段１９に格納される。周波数及びスイッチ設定間の補間又は周波数及びスイッチ設定からの外挿は、全体の動作レンジにわたってアンテナフィルタ１２をキャリブレートするために必要な測定の数を減少させるために使用され得る。アンテナフィルタ１２回路部品における非線形性は、周波数応答がキャパシタンスの連続の値のために等しい量でシフトされる必要はないことを意味する。そのような非線形性は、補間又は外挿で補償され得る。
【００３５】
同じキャリブレーションプロセスは、動作バンドの中心周波数ｆ０の両サイドでオフチューニングされたアンテナフィルタ１２を用いて行われ得る。
【００３６】
図６は、スイッチ５３−５７のＳ個の異なる設定に対応するアンテナフィルタ周波数応答ＡＦＲｉ，ｉ＝１，Ｓのセットを図示する。
【００３７】
この方法の精度は、周波数応答において別個のピークを有するフィルタに対して、及び周波数応答において急勾配のロールオフを有するフィルタに対して最も大きい。
【００３８】
図１に示すトランシーバの動作において、一度所望の受信信号の周波数が既知になると、処理手段１８は、周波数シンセサイザ２４を制御して所望のチャネルの受信機チャネルフィルタ３０の周波数応答ＲＣＦＲを調整し、キャパシタンススイッチ設定５３−５７の適切な値を第２の格納手段１９から選択して最も良い受信機感度を与える。特に、ブルートゥース（登録商標）のような周波数ホッピングシステムにおける動作に対して、一度周波数ホッピング信号のシーケンスが既知になると、処理手段１８は、第２の格納手段１９に格納されたデータを使用して、最も良い感度を与えるキャパシタンス値をそれぞれの周波数に対して選択する。
【００３９】
任意に、非幾何学的に関連するキャパシタンス値は、切り替え可能なキャパシタのバンク４６において使用され得る。
【００４０】
本発明の実施の形態は、無線信号を受信する受信デバイス及び無線信号をフィルタリングするチューナブルフィルタに関して記載されているが、本発明は無線周波数信号用の装置に限定されない。
【００４１】
本明細書及び特許請求の範囲において、構成要素に先行する語「a」又は「an」は、複数のそのような構成要素の存在を排除しない。さらに、語「comprising」は、挙げたもの以外の他の構成要素又はステップの存在を排除しない。
【００４２】
本開示を読んで、他の変形例は当業者にとって明らかであろう。そのような変形例は、チューナブルフィルタ及びそれらの部品パーツの設計、製造及び使用において既に知られている、ここで既に記載された形態の代わりに又はそれに加えて使用され得る他の形態を含み得る。請求項は、形態の特定の組み合わせについてこの出願において表現されているが、本出願の開示の範囲はまた、明示的にあるいは暗示的にここで開示されたいかなる新規な形態若しくは形態のいかなる新規な組み合わせ、又はそれらのいかなる概念をも含むものであり、いずれかの請求項で現在請求されたものと同じ発明に関係するかどうか、及び本発明と同じ技術的課題のいずれか又はすべてを軽減するかどうかにかかわらないものである。本出願人はこれにより、本出願の又はそれらから派生するさらなるいかなる出願の手続中に、新しい請求項がそのような形態及び／又はそのような形態の組み合わせに表現され得ることをここに付言する。
【００４３】
信号フィルタリング及び受信装置。
【図面の簡単な説明】
【００４４】
【図１】図１は、無線トランシーバのブロック概略図である。
【図２】図２は、チューナブルフィルタの概略図である。
【図３】図３は、周波数バンドの中心でチャネルを受信するために設定された図１のトランシーバでの周波数ｆ対振幅Ａ（共に対数値）のグラフである。
【図４】図４は、チューニングレンジの最も遠い端の一つで中心に置かれたアンテナフィルタでの周波数ｆ対振幅Ａ（共に対数値）のグラフである。
【図５】図５は、周波数バンドの中心からアンテナフィルタの周波数オフセットを決定するために直角三角形を用いることを示す。
【図６】図６は、図２に示す周波数選択回路における異なる値のキャパシタンスに対して応答するアンテナフィルタを示す周波数ｆ対振幅Ａ（共に対数値）のグラフである。
【国際公開パンフレット】
2005507598.tif 000003
2005507598.tif 000004
2005507598.tif 000005
2005507598.tif 000006
2005507598.tif 000007
2005507598.tif 000008
2005507598.tif 000009
2005507598.tif 000010
2005507598.tif 000011
2005507598.tif 000012
2005507598.tif 000013
2005507598.tif 000014
2005507598.tif 000015
2005507598.tif 000016
2005507598.tif 000017
2005507598.tif 000018
2005507598.tif 000019
2005507598.tif 000020
【国際調査報告】
2005507598.tif 000021
2005507598.tif 000022